(57)【特許請求の範囲】
【請求項１】
自走式スイッチドモード電源装置であって、
該自走式スイッチドモード電源装置は、
スイッチングトランジスタ（Ｔ２０，Ｔ５０）に直列接続された１次巻線（Ｗ１）と、少なくとも１つの第１端部（３）および第２端部（５）を有する２次巻線（Ｗ２）とを備えた変圧器（Ｌ５０）を有しており、
前記の第１端部（３）は、ダイオード（Ｄ３０）を介して正の給電電圧（ＵＴ）を蓄積コンデンサ（Ｃ３０）に供給し、
前記自走式スイッチドモード電源装置はさらに、
前記の蓄積コンデンサ（Ｃ３０）を充電する始動回路（Ｒ３０）と、
駆動回路（Ｔ４２，Ｔ４４；Ｔ３０，Ｔ３１）と、
第１の端子によって前記２次巻線（Ｗ２）の１つの端部（３；５）と接続され、また第２の端子によって前記駆動回路（Ｔ４２，Ｔ４４；Ｔ３０，Ｔ３１）の制御入力側（ＳＥ）と接続されている閾値回路（Ｒ４４，Ｄ４４；Ｄ３２，Ｒ３５）とを有しており、
該閾値回路は、スイッチドモード電源装置のスイッチオン動作の後に、前記駆動回路（Ｔ４２，Ｔ４４；Ｔ３０，Ｔ３１）に対する動作電圧（ＵＴ）が所定の閾値を越えるまでは、前記駆動回路（Ｔ４２，Ｔ４４；Ｔ３０，Ｔ３１）を遮断する形式の自走式スイッチドモード電源装置において、
前記閾値回路（Ｒ４４，Ｄ４４；Ｄ３２，Ｒ３５）は、第１の端子により、前記のスイッチングトランジスタ（Ｔ５０）の導通フェーズにてアースに対して負の電圧を有する、前記の２次巻線の１つの端部（５；３）に接続され、
当該の端部（５；３）は、前記のスイッチングトランジスタ（Ｔ５０）の導通フェーズにて閾値回路（Ｒ４４，Ｄ４４；Ｄ３２，Ｒ３５）に負の電圧を供給し、前記のスイッチングトランジスタ（Ｔ５０）の遮断フェーズにて閾値回路（Ｒ４４，Ｄ４４；Ｄ３２，Ｒ３５）に正の電圧を供給することを特徴とする、
自走式スイッチドモード電源装置。
【請求項２】
前記閾値回路（Ｒ４４，Ｄ４４；Ｄ３２，Ｒ３５）は、閾値を生成するために抵抗（Ｒ３５，Ｒ４４）と直列接続されたツェナーダイオード（Ｄ３２，Ｄ４４）を含んでいる、
請求項１に記載のスイッチドモード電源装置。
【請求項３】
前記スイッチドモード電源装置は、発振器のないフライバックコンバータ方式で構成されている、
請求項１または２に記載のスイッチドモード電源装置。
【発明の詳細な説明】
【０００１】
【発明の属する技術分野】
本発明は、次のようなスイッチドモード電源装置に関する。すなわちこのスイッチドモード電源装置は、スイッチングトランジスタと、このスイッチングトランジスタに直列接続された１次巻線と少なくとも１つの２次巻線とを備えた変圧器と、始動回路と、前記スイッチングトランジスタを駆動する駆動回路と、閾値回路とを有する。
【０００２】
【従来の技術】
上記のようなスイッチドモード電源装置には、次のような始動回路が必要である。すなわち前記のスイッチドモード電源装置をスイッチオンした後には、この始動回路を介して電流が流れ、前記の駆動段に給電する。このようにしないとスイッチドモード電源装置は、発振しないからである。またこの電流は十分に大きくなくてはならない。この電流を十分に大きくするのは、駆動段を導通しかつスイッチングトランジスタに十分に大きな制御電圧または制御電流を供給してこのスイッチングトランジスタを導通するためである。このスイッチングトランジスタが導通されると、変圧器の１次巻線に第１の電流が流れる。これにより２次巻線に、前記の駆動回路に給電するための電圧が発生する。以降の動作の間においては、スイッチドモード電源装置はそれ自身に、この巻線を介して十分に電力を供給し、これにより始動回路はもはや不要となる。
【０００３】
しかしながらこのことは、始動回路は動作し続けて１ワットまたはそれ以上のオーダーの電力を消費するために、スタンバイモードを有する、または長期または永続的に接続されるスイッチドモード電源装置の場合には殊に不利である。
【０００４】
電力損失を低減するための種々に構成を有するスイッチドモード電源装置が公知である。しかしこのようなスイッチドモード電源装置には、ＤＥ１９６５２６０４に記載されているように複雑なものもあり、またはＥＰ０７０１３１８Ａ１に記載されているように始動発振器を必要とするものもある。スタンバイモード損失を低減するための別の構成、例えばＥＰ０８０４０２６に記載されているテレビジョン受像機のスイッチオフ用の補助装置などは、状況によっては利用者に不便を強いている。その理由はこれらの補助装置が選択的にリモート制御信号に反応しないからである。
【０００５】
ＷＯ９２／１７９３４には、つぎのようなスイッチドモード電源装置用の始動回路が記載されている。この始動回路はツェナーダイオードを備えた集積回路を有する。このツェナーダイオードを介して集積回路の遅延されたスイッチオンが行われる。この遅延フェーズ間に集積回路は初期化され、パラメータと構成要素が所定の状態になる。初期化フェーズの終了時には、集積回路は定常的な通常のパルス動作に切り換わる。
【０００６】
【発明が解決しようとする課題】
本発明の課題は、冒頭に記載した種類のスイッチドモード電源装置であって、始動回路の電力消費が可能な限り低く抑えられたスイッチドモード電源装置を提供することである。
【０００７】
【課題を解決するための手段】
上記課題は本発明により、自走式スイッチドモード電源装置であって、該自走式スイッチドモード電源装置は、スイッチングトランジスタに直列接続された１次巻線と、少なくとも１つの第１端部および第２端部を有する２次巻線）とを備えた変圧器を有しており、前記の第１端部は、ダイオードを介して正の給電電圧を蓄積コンデンサに供給し、前記自走式スイッチドモード電源装置はさらに、前記の蓄積コンデンサを充電する始動回路と、駆動回路と、第１の端子によって２次巻線の１つの端部と接続され、また第２の端子によって前記駆動回路の制御入力側と接続されている閾値回路とを有しており、該閾値回路は、スイッチドモード電源装置のスイッチオン動作の後に、前記駆動回路に対する動作電圧が所定の閾値を越えるまでは、前記駆動回路を遮断する形式の自走式スイッチドモード電源装置において、前記閾値回路は、第１の端子により、前記のスイッチングトランジスタの導通フェーズにてアースに対して負の電圧を有する、前記の２次巻線の１つの端部に接続され、当該の端部は、前記のスイッチングトランジスタの導通フェーズにて閾値回路に負の電圧を供給し、前記のスイッチングトランジスタの遮断フェーズにて閾値回路に正の電圧を供給することを特徴とする、自走式スイッチドモード電源装置を構成することによって解決される。
【０００８】
本発明の有利な実施形態は従属請求項に記載されている。
【０００９】
【発明の実施の形態】
本発明のスイッチドモード電源装置は、次のような閾値回路を含んでいる。この閾値回路は、スイッチオン動作の後、駆動段に対する動作電圧が所定の閾値を上回るまで駆動段を遮断する。これにより始動回路は高インピーダンス状態に保たれ、したがって駆動回路に給電する蓄積コンデンサをゆっくりと充電することが可能であり，駆動回路の回路網内の電流が漏れ出すことはない。この蓄積コンデンサの両端の電圧が十分であり、かつ所定の電圧値を上回っていれば、駆動回路は動作し始め、スイッチングトランジスタを導通する。この閾値回路は別の端子によって、交流電圧を有する２次巻線の１端部と接続されている。
【００１０】
上記の閾値回路は、駆動回路の入力側に接続されている。この入力側には、前記の蓄積コンデンサの蓄積動作に応じて上昇する電圧が印加されている。この端子の電圧が所定の閾値を上回った場合には、駆動段が導通される。この閾値を生成するためのもっとも簡単な実施形態では、閾値回路を抵抗と直列接続されたツェナーダイオードから構成することが可能である。この閾値回路は、２次巻線の１端部を介して、スイッチドモード電源装置の基準電位に接続されている。閾値回路の１端部は有利には、正帰還によって駆動段の導通を補助する２次巻線の１端部と接続されている。
【００１１】
上記の閾値回路は殊に、始動発振器のない自走スイッチドモード電源装置に対して使用することが可能である。このような電源装置は、他のスイッチドモード電源装置よりも始動時の動作が重要である。殊にｎｐｎトランジスタをスイッチングトランジスタとして使用している場合には、このトランジスタを導通するために十分な電力（電流および電圧）が必要である。本発明の実施例では閾値回路は２次巻線の１端部に接続されている。この２次巻線は、スイッチングトランジスタが導通しているフェーズでは負の電圧を有しており、これにより正帰還が発生する。ここでは２次巻線の両端電圧の変化を、駆動トランジスタの制御電流をさらに増加させるために使用する。この結果このスイッチングトランジスタは確実に導通される。
【００１２】
上記の閾値回路はまた有利にも、スイッチングトランジスタとして電界効果トランジスタを備えたスイッチドモード電源装置に使用することが可能である。この場合には、駆動回路の一方の端子は２次巻線の１端部と接続されている。この２次巻線は、この電界効果トランジスタの遮断フェーズでは正の電圧を有している。これによりこのスイッチドモード電源装置は、駆動回路の供給電圧と閾値回路の供給電圧用に、１次側の２次巻線を１つしか必要としない。さらに短絡の場合は、この巻線の端部において正帰還は減少するが、スイッチドモード電源装置の自走発振は確実に停止される。
【００１３】
上記の閾値回路は、スイッチドモード電源装置が始動回路の電力損失が低い場合にも確実に始動し、通常動作中も安定動作することを保証する。本発明は殊に、スタンバイ動作モードを有する、フライバックコンバータ方式による自走スイッチドモード電源装置、例えばテレビジョン受像機、ビデオレコーダ、衛星受信機、セットトップボックス用のスイッチドモード電源装置に対して使用可能である。
【００１４】
本発明を以下概略的な回路図を参照して実施例により詳しく説明する。
【００１５】
【実施例】
図１に示したスイッチドモード電源装置は、ブリッジ整流器ＢＲと、後置接続されたキャパシタＣ１１とを含んでいる。これらによって整流された、平滑な電圧Ｕ０が使用可能である。この電圧は、スイッチングトランジスタＴ５０と直列接続されている、絶縁変圧器Ｌ５０の１次巻線Ｗ１に供給される。１次側に設けられた２次巻線Ｗ２は、スイッチングトランジスタＴ５０の駆動回路の給電に使用されている。このスイッチドモード電源装置は、フライバックコンバータとして構成されており、図１に示されていない、２次側に設けられた負荷用の別の２次巻線を有している。
【００１６】
この２次巻線Ｗ２は、３つの端部３，４，５を有している。端部４は、この実施例ではアースである基準電位に接続されている。端部３はスイッチングトランジスタＴ５０の導通フェーズでは正の電圧を有しており、端部５は負の電圧を有している。遮断フェーズでは端部３および５に印加された電圧は極性が逆転する。端部３は、ダイオードＤ３０を介して蓄積コンデンサＣ３０に接続されている。これによって駆動回路には、スイッチング動作中に整流された動作電圧ＵＴが供給される。
【００１７】
上記の駆動回路には、２つのトランジスタ段Ｔ４２，Ｔ４４および配線されたコイルＬ４４が含まれており、これらを介してスイッチングトランジスタＴ５０は導通ないしは遮断される。コイルＬ４４は、スイッチングトランジスタＴ５０を導通させるために制御電流を上昇させること可能とし、また同時にこのスイッチングトランジスタを遮断するために負の電圧を印加する。これによって駆動回路内の損失およびスイッチングトランジスタのスイッチオフ損失を低く抑えている。コイルＬ４４の動作方法はすでにＥＰ−Ａ−０７８６８６６に記載されているため、ここではこれ以上説明しない。
【００１８】
スイッチングトランジスタＴ５０の導通フェーズでは、トランジスタＴ４２は遮断状態であり、トランジスタＴ４４は導通状態である。これによって２次巻線Ｗ２の端部３を介して十分な制御電流が使用可能である。
【００１９】
スイッチングトランジスタＴ５０のスイッチオフは、キャパシタＣ３３とトランジスタＴ３２によって行われる。このトランジスタＴ３２は、このキャパシタの所定の両端電圧によって導通される。この場合にはキャパシタＣ３３は、導通フェーズの間は、スイッチングトランジスタＴ５０の電流路に接続されている抵抗Ｒ４９と受動回路網Ｎ１とによって充電される。受動回路網Ｎ１は、巻線Ｗ２の端部３と接続されており、実質的に電圧Ｕ０の変動を補正して、ソフトスタートの情報を提供する。このキャパシタの両端の電圧がトランジスタＴ３２のベース−エミッタ電圧を上回った場合には、このトランジスタは導通され、これによってトランジスタＴ４２のベースの電圧をより低い値にし、この結果トランジスタＴ４２は導通される。したがってトランジスタＴ４４のベース電圧ＳＥは上昇し、これによってトランジスタＴ４４は遮断し、ひいてはスイッチングトランジスタＴ５０も同様に遮断する。
【００２０】
スイッチングトランジスタＴ５０の遮断フェーズでは、変圧器Ｌ５０に蓄積されたエネルギーは２次巻線に伝送され、負荷に供給される。変圧器Ｌ５０の磁場エネルギーが減衰した場合にはトランジスタＴ３２は、巻線Ｗ２の端部５と接続されている受動回路網Ｎ２を介して遮断される。これによってトランジスタＴ４２もまた遮断され、ひいてはトランジスタＴ４４は導通され、スイッチングトランジスタＴ５０の遮断フェーズが終了する。
【００２１】
スイッチドモード電源装置は、１つまたは複数の抵抗Ｒ３０を有する始動回路を含んでいる。この抵抗Ｒ３０は例えば１ｍＡの小電流を流し、この電流によってスイッチドモード電源装置がスイッチオンされた後には蓄積コンデンサＣ３０が充電される。抵抗Ｒ４４と巻線Ｗ２を介して端部４のアース電位に接続されたツェナーダイオードＤ４４は、この始動フェーズではトランジスタＴ４４を遮断状態に保っている。この場合にはトランジスタＴ３２もまた、そのベースには電圧が印加されていないため遮断状態である。これによりトランジスタＴ４２も同様に遮断状態である。したがって蓄積コンデンサＣ３０と接続された素子は、始動フェーズにおいてすべて遮断状態ないしはまったく無電流状態である。したがってこのコンデンサは、始動回路Ｒ３０を介してかなりの小電流で充電され、しかもこの小電流はアースに漏れ出すことはない。トランジスタＴ４４のエミッタに印加された動作電圧ＵＴが、ツェナー電圧によって形成された閾値電圧ＳＥとベース−エミッタ電圧との和を上回った場合には、トランジスタＴ４４のエミッタ−ベース間に電流が流れ、このトランジスタＴ４４はスイッチオンされる。
【００２２】
ツェナーダイオードＤ４４のツェナー電圧は、蓄積コンデンサＣ３０の両端電圧が例えば約４．５Ｖである時にトランジスタＴ４４がスイッチオンするように選択されている。したがってこのコンデンサに蓄積されるエネルギーは、スイッチングトランジスタＴ５０を導通するのに十分である。この結果、変圧器Ｌ５０の誘導によって巻線Ｗ２の端部３に正電圧が生じ、スイッチングトランジスタＴ５０に対するベース電流を維持する。これと同時にこの回路の第２の重要な効果が発生する。すなわちスイッチングトランジスタＴ５０が導通することによって、巻線Ｗ２の端部５に負の電圧が発生し、これによってツェナーダイオードＤ４４の両端の電圧ＳＥが引き下げられる。正帰還が発生し、これがトランジスタＴ４４を導通し、ひいてはスイッチングトランジスタＴ５０を比較的速く導通する。
【００２３】
スイッチングトランジスタＴ５０の遮断フェーズの間には、巻線Ｗ２の端部５の電圧は正であり、電圧ＳＥは高い。この結果、遮断フェーズ全般に渡ってトランジスタＴ４４は確実に遮断状態にとどまる。遮断フェーズの間にトランジスタＴ３２のスイッチング動作に影響を与え得る寄生振動はなんら影響しない。その理由は、閾値回路が常にトランジスタＴ４４のベース電圧を正に維持するからである。
【００２４】
スイッチングトランジスタＴ５０の遮断は、始動フェーズにおいても同様にトランジスタＴ３２によって行われる。これはすでに説明した通りである。この結果、スイッチドモード電源装置は自走し、始動フェーズにおいても、また通常動作においても、ツェナーダイオードＤ４４と抵抗４４とを備えた閾値回路によって確実に動作する。始動発振器は不要である。
【００２５】
ｎｐｎトランジスタを使用した場合には、トランジスタＴ４２とＴ４４とを備えた駆動回路は、巻線Ｗ２の端部３と接続される。この端部は、スイッチングトランジスタが導通状態にある場合には正の電圧を供給する。これにより所望の、電源電圧ＵＮに対する依存性が得られる。電源電圧ＵＮが高い場合には、端部３はより高い電圧を供給し、ひいてはスイッチングトランジスタＴ５０に対してより多くのベース電流が供給される。この結果、スイッチングトランジスタＴ５０の所望のベース電流／コレクタ電流比が、電源電圧ＵＮが変動ないしは変化する場合にも守られる。さらにスイッチングトランジスタＴ５０のベース電流は巻線Ｗ２によって供給されるために、キャパシタＣ３０の値をきわめて低く、１０ｎＦに抑えることが可能である。
【００２６】
図２のスイッチドモード電源装置はスイッチングトランジスタとして、電圧によって制御される電界効果トランジスタＴ２０を使用している。これにより駆動段は大きな電流を供給する必要はない。この場合には、電界効果トランジスタＴ２０の導通および遮断は、図１と同様に接続構成されたトランジスタＴ３２によって行われる。ここでは光結合素子ＯＫが付加的にキャパシタＣ３３に接続される。この光結合素子によって２次側の出力電圧の直接的な制御が行われる。
【００２７】
図２の駆動回路は２つのトランジスタＴ３０とＴ３１を含む。これらのトランジスタと、トランジスタＴ３２によって、電界効果トランジスタＴ２０が制御される。通常動作において導通フェーズの間はトランジスタＴ３２は遮断状態であり、したがってＴ３０も同様に遮断状態である。トランジスタＴ３１は導通している。その理由はこのトランジスタのベースが、ツェナーダイオードＤ３２と抵抗Ｒ３５すなわち閾値回路を介して、遮断フェーズにおいて負の電圧を有する、巻線Ｗ２の端部３と接続されているからである。遮断フェーズでは、トランジスタＴ３２は導通しており、これによりトランジスタＴ３０は導通し、トランジスタＴ３１のベースとエミッタとの間を短絡する。この結果トランジスタＴ３１は遮断状態である。したがって電界効果トランジスタＴ２０のゲートは、ダイオードＤ３３と導通したトランジスタＴ３２とを介して実質的に接地される。
【００２８】
この場合に１つまたは複数の抵抗Ｒ３を有する始動回路は、図１と同様に接続構成されている。スイッチドモード電源装置はこの場合に次のように始動する。スイッチオン動作後はキャパシタＣ３０の両端電圧が０の場合には、トランジスタＴ３１のエミッタ−ベース間の電圧も同様に０である。したがってＴ３１は遮断状態であり、トランジスタＴ３０とＴ３２も遮断状態である。その後はツェナーダイオードＤ３２と抵抗Ｒ３５を備えた閾値回路によって、トランジスタＴ３１のベース電圧は、始動フェーズ間に上昇させられる。電圧ＵＴが所定の閾値、例えば５．７Ｖを上回ってはじめてトランジスタＴ３１のエミッタ−ベース間を介して、およびツェナーダイオードＤ３２およびＲ３５を介して電流が流れる。これによりトランジスタＴ３１は導通し、ひいては電界効果トランジスタＴ２０が導通する。
【００２９】
ツェナーダイオードＤ３２と抵抗Ｒ３５を備えた閾値回路は、トランジスタＴ３１のベースと巻線Ｗ２の端部３との間に接続されている。この場合に電界効果トランジスタＴ２０が導通すると、端部３が負の電圧を有するため、正帰還が同様に発生する。これによりトランジスタＴ３１は始動フェーズにおいて引き続き導通する。したがって電界効果トランジスタＴ２０は迅速に導通される。この導通は４．７ｎＦのキャパシタＣ３２に補助される。このキャパシタＣ３２は、トランジスタＴ３１が導通される場合に電流サージを通流させるが、この時点でも抵抗Ｒ３６をある程度はブリッジする。
【００３０】
電界効果トランジスタＴ２０の導通フェーズは、トランジスタＴ３２が導通すると終了する。これによりトランジスタＴ３０のベース電圧は抵抗Ｒ３７を介して低い値に下がる。この結果、このトランジスタは導通し、トランジスタＴ３１のベース−エミッタ間を短絡する。これによりこのトランジスタＴ３１は遮断する。また同時に電界効果トランジスタＴ２０のゲート電圧は、トランジスタＴ３２によってダイオード３３を介して下がり、これによりトランジスタＴ３２も同様に遮断する。遮断フェーズにおいては、巻線Ｗ２の端部３は正の電圧を有するためキャパシタＣ３０はダイオードＤ３０を介して再充電される。電界効果トランジスタＴ２０の遮断は、トランジスタＴ３２の遮断によって行われる。これは図１に関連してすでに説明した。
【００３１】
図２の駆動回路のトランジスタＴ３０はオプションであり、スイッチドモード電源装置のスイッチング動作を改善するためのものである。トランジスタＴ３０が存在しない場合には、トランジスタＴ３１のベースは、巻線Ｗ２の端部３のみによって駆動される。したがって自走スイッチドモード電源装置に対する最適のタイミングを得ることはできない。上に説明したようにトランジスタＴ３１はトランジスタＴ３２を介して、トランジスタＴ３０によって制御される。これによってより良好な効率が得られる。これは次のような事実によるものである。すなわちトランジスタＴ３１はトランジスタＴ３２によって、電界効果トランジスタＴ２０の遮断フェーズの間全般に渡って、トランジスタＴ３０を介して遮断状態に維持されることによるものである。これはトランジスタＴ３０が導通状態であり、ひいてはトランジスタＴ３１は遮断状態にあるからである。これにより構成素子Ｒ３６とＴ３２の電力値を低減することが可能である。
【００３２】
トランジスタＴ３０、Ｔ３１を備えた駆動回路は、この場合には巻線Ｗ２の端部３と接続されている。この端部３は、電界効果トランジスタＴ２０の遮断フェーズでは正の電圧を有する。これにより、キャパシタＣ３０の両端の電圧は、バイポーラスイッチングトランジスタＴ５０を有する回路とは異なり、フライバックコンバータ方式によって有利にも電源電圧ＵＮに依存しない（制御が行われる、スイッチドモード電源装置の出力電圧と同様である）。これはまさにしょもうののことである。これによりキャパシタＣ３０の両端の電圧は、駆動段および電界効果トランジスタの良好なスイッチング動作のために十分な約１０Ｖの一定値に維持することが可能である。
【００３３】
図１のスイッチドモード電源装置は、図２のスイッチドモード電源装置とまったく同様にフライバックコンバータ方式によって動作する。これらの図において同一の構成素子は同じ参照符号を有している。図１および図２を参照して説明した実施例は、電源電圧ＵＮによって駆動され、電源電圧とは絶縁された２次巻線を含むスイッチドモード電源装置を説明している。しかし本発明は、これらの実施例に限定されるものではない。本発明の応用、例えば電源電圧との絶縁を有しないＤＣ−ＤＣ変換器として使用することなどは、スイッチドモード電源装置の当業者には明らかなことである。また別のスイッチングトランジスタを使用することも当業者には明らかなことである。
【図面の簡単な説明】
【図１】  スイッチングトランジスタとしてｎｐｎトランジスタを備えた、自走スイッチドモード電源装置の図である。
【図２】  スイッチングトランジスタとして電界効果トランジスタを備えた、自走スイッチドモード電源装置の図である。
【符号の説明】
Ｌ５０  変圧器
Ｗ１  変圧器１次巻線
Ｗ２  変圧器２次巻線
Ｔ２０  スイッチングトランジスタ（電解効果トランジスタ）
Ｔ５０  スイッチングトランジスタ
ＳＥ  閾値電圧
Ｌ４４  コイル
Ｄ４４  ツェナーダイオード
Ｎ１，Ｎ２  受動回路網
ＵＮ  電源電圧
ＯＫ  光結合素子
【図１】
0004371456.tif 000002
【図２】
0004371456.tif 000003